(57)【要約】【課題】ヤエン釣法において、道糸が引き込まれる動きの長さと時間を確実に検知し、アオリイカのアタリを釣り人に知らせることができるアタリ検知装置を提供する。【解決手段】電源部と、プーリー１１とリードスイッチによって構成され、道糸３の動きをパルス信号に変換するセンサー部と、前記パルス信号の一定時間当たりの発生数を判定し結果を表示部に連絡する判定部と、前記判定結果の連絡を受け前記判定結果が指定範囲内であった時に光又は音を発する前記表示部１３によって構成される。具体的には、道糸３の動きをプーリー１１とリードスイッチの組み合わせでパルス信号として取り込み、これをＣＰＵ又はＩＣ・電子部品によりイカのアタリか否かを判定し、アタリであった場合に釣り人に光（点滅／イルミネーション）その他の方法で知らせる。【選択図】図３
0003204321.tif 000002
【実用新案登録請求の範囲】
【請求項１】
アオリイカのヤエン釣法においてアタリを検知し釣り人に知らせる装置であって、
電源と、
プーリーとリードスイッチによって構成され道糸の動きをパルス信号に変換するセンサー部と、
前記パルス信号の一定時間当たりの発生数を判定し結果を表示部に連絡する判定部と、
前記判定結果の連絡を受け前記判定結果が指定範囲内であった時に光又は音を発する前記表示部と、
によって成る装置。
【請求項２】
前記判定部は、ソフトウェアを備えた中央演算処理装置であることを特徴とする請求項１記載の装置。
【請求項３】
前記判定部は、複数の集積回路と前記集積回路の関連電子部品を組み合わせた装置であることを特徴とする請求項１記載の装置。
【考案の詳細な説明】
【技術分野】
【０００１】
本考案は、アオリイカのヤエン釣法においてアタリを検知し釣り人に知らせる装置に関する。
【背景技術】
【０００２】
アオリイカ(別名ミズイカ) 釣りは、疑似餌を使ったエギングや浮子釣りのほか、最近はヤエン釣りという釣法を使用する釣り人が増えてきつつある。これは、図１に示すように活きたエサ（主としてアジ）７の尾びれ近くを道糸３で結ぶか、又は小さな釣り針で掛け、海中で自由に泳がせてイカ８に掴ませる。その後ヤエン６という、先に鋭い針が付いた釣具を道糸３を通して降ろして行き、イカ８を引っ掛けて釣る方法である。
【０００３】
従来アオリイカのヤエン釣りでは、竿のしなり・リールの動きやスプールの回転音によりアタリを取っており、釣り人は竿のごく近くに居てアタリが来るのを待つ必要があった。
【先行技術文献】
【特許文献】
【０００４】
【特許文献１】特開平９−２２４５３９号
【特許文献２】特開平１０−２０１４０７号
【考案の概要】
【考案が解決しようとする課題】
【０００５】
前述したように、アオリイカのヤエン釣法においては、釣り人は視覚および聴覚を駆使してアタリを検知している。具体的には、道糸が引っ張られ出ていく動きと、この時のスプールの回転および回転時スプール内の板バネをはじく「カリカリ」音又は竿先のしなり等で感知する。昼間はともかく、夜釣りにおいては道糸の動きが見えづらく、また音も風で消されることがあるので、竿から離れられない。しかし、アオリイカのヤエン釣法でのアタリは頻繁にあるものではなく、竿から離れることが多々ある。
【０００６】
特許文献１には、魚が道糸を引いた時に竿に生ずる撓みを検知して作動する、魚釣り感知装置についての発明が開示されている。また、特許文献２には、魚が道糸を引くと、竿に取り付けられたロックカムが外れ、これが感知装置の電源をＯＮにしてブザーを鳴らす機構を備えた魚釣り感知装置の提案がなされている。
【０００７】
これらのほかにも、近年においては、道糸の動きを電子的にとらえて釣り人に知らせるアタリ取り装置が開発され、販売されている。しかし、上記特許文献の発明も含め、これらのアタリ取り装置は、魚の動きに伴って生ずる道糸の動きを即検知し光・音等で知らせるものであり、アオリイカの長く道糸を引き込んだときの速さ・長さを見てアタリとするヤエン釣法の検知には不向きである。ヤエン釣法においては、道糸の動きを即アタリとしては、活きエサの瞬間的に引く動きがアタリとして検知されてしまい、アオリイカのアタリと区別ができない。同釣法においては、道糸が引き込まれる動きの長さと時間が問題なのである。
【０００８】
上述の問題に鑑み、本考案においては、ヤエン釣法において、道糸が引き込まれる動きの長さと時間を確実に検知し、アオリイカのアタリを釣り人に知らせることができるアタリ検知装置を提供することを課題とする。
【課題を解決するための手段】
【０００９】
上記課題を解決するために、請求項１に係るアタリ検知装置は、ヤエン釣法において使用するアオリイカのアタリ検知装置であって、電源部と、プーリーとリードスイッチによって構成され道糸の動きをパルス信号に変換するセンサー部と、前記パルス信号の一定時間当たりの発生数を判定し結果を表示部に連絡する判定部と、前記判定結果の連絡を受け前記判定結果が指定範囲内であった時に光又は音を発する前記表示部によって構成される。
【００１０】
請求項２に係るアタリ検知装置は、前記判定部は、ソフトウェアを備えたＣＰＵ（中央演算処理装置）であることを特徴とする。
【００１１】
請求項３に係るアタリ検知装置は、前記判定部は、複数のＩＣ（集積回路）と前記ＩＣの関連電子部品を組み合わせた装置であることを特徴とする。
【００１２】
具体的には、道糸の動きをプーリーとリードスイッチの組み合わせでパルス信号として取り込み、これをＣＰＵ又はＩＣ・電子部品によりイカのアタリか否かを判定し、アタリであった場合にのみ釣り人に光（点滅／イルミネーション）その他の方法で知らせる。
【考案の効果】
【００１３】
本装置の使用により、活きエサ（魚）が道糸を引く動きとアオリイカのアタリを区別することが可能となるため、魚の引く動きを排除して、イカのアタリを効率よく検知することができる。
【００１４】
本装置は、道糸が引っ張られる長さと時間でアタリを検出し光で知らせるので、夜間でも確実にアタリを検知することができる。
【００１５】
アオリイカのヤエン釣法でのアタリは、頻繁にあるものではなく竿から離れることが多々ある。本装置の使用により、常時竿の近くにいなくてもアタリが検知できるので、他の魚を狙って複数の竿を互いに離して設置しても、イカのアタリを見逃すことがなくなる。同時に他の釣り（エギング、アジ釣り等）を楽しむことも可能となる。
【図面の簡単な説明】
【００１６】
【図１】ヤエン釣法の一般的な釣り具とその使用方法を示す概念図である。
【図２】実施形態１及び２の装置を使用したヤエン釣法の全体の様子を示す概念図である。
【図３】実施形態１及び２の装置を装着した釣り具を示す斜視図である。
【図４】実施形態１及び２の装置を示す斜視図である。
【図５】実施形態１の装置のシステムを説明するためのブロック図である。
【図６】実施形態２の装置のシステムを説明するためのブロック図である。
【考案を実施するための形態】
【００１７】
(実施形態１)
以下、本実施形態のアタリ検知装置１の構成と機能について、図を用いて説明する。
図１に示すように、アオリイカのヤエン釣法は道糸３の動き等によりアタリを判断した後、ヤエン６を道糸３に沿って降下させ、エサ７を掴んだイカ８を引っ掛ける釣法であるが、本装置１は、このときの道糸３の動く速さを検知してアタリか否かを判断し釣り人に知らせるものである。図２は本装置１を使用した同釣法の全体の様子を示す概念図、図３は本装置１を装着した釣り具を示す斜視図、図４は本装置１と本装置１の取付け部の拡大斜視図である。
【００１８】
本実施形態では、図２乃至４に示すように、本装置１は取付け具(グリップ)１４によってアオリイカヤエンスタンド５の1本の脚に使用して仮固定される。本体１は外見上、プーリー１１、筐体１２、表示部（ＬＥＤ）１３によって構成されるが、機能的観点からは、電源のほか、プーリーとリードスイッチによって構成される「センサー部」、アタリを判別する「判定部」、アタリを視覚的に表示する「表示部」によって構成される。
【００１９】
まず、道糸の長く引っ張られる動きをとらえるため、リール４・ガイド２１間の道糸３をプーリー１１に掛ける。道糸３の直線的な動きはプーリー１１の回転に転嫁される。次に、プーリー１１には磁石が取り付けられており、前記回転運動は磁極の変化を引き起こし、該磁極の変化が筐体１２内のリードスイッチ（不図示）を開閉させ、電気的なパルス信号を発生させる。
【００２０】
実施形態１においては、このパルス信号についての判定を、ソフトウェアがダウンロードされたＣＰＵに委ねる。図５のブロック図は、センサー部のリードスイッチが放つパルス信号についての判定と、該判定結果の表示に関する機能の概略を示す。具体的には、パルスカウンタ／クロック管理／パルス判定／表示出力制御の各機能をソフトウェアで構築し、パルス入力があったときＬＥＤへの瞬時信号出力と同時に計数し、これが設定時間内に設定数以上のパルスであればＬＥＤに一定時間表示信号出力を出す。前記設定時間を過ぎている場合には計数をリセットしてパルス待ち受け状態にもどす。
【００２１】
(実施形態２)
実施形態２においては、パルス信号の判定を、複数の集積回路と前記集積回路の関連電子部品を組み合わせたハードウェアに委ねる。図６のブロック図はこの過程を示す。具体的には、タイマーＩＣとカウンターＩＣを組み合わせ、タイマーＩＣで時間を設定し、カウンターＩＣでパルスを数え設定時間内に設定数以上のパルスが来た時にアタリと判定し、一定時間表示信号を出す。時間内に所定パルスが来ない場合は、タイマーＩＣよりカウンターＩＣにリセット信号をだし、カウンターをリセット初期状態にする。アタリと判定するまでのパルスは、ＬＥＤを点灯させリセットされるまで保持する。
【００２２】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することが可能である。例えば、本装置は、グリップ１４によりヤエンスタンド５の脚に取り付けて使用するが、スタンドを使用しない場合、竿２に装着し使用できるようにすることもできる。また、表示部についてはＬＥＤのほか、ブザー等のサウンドとすることも可能であり、これら、本実施形態と異なる形の実施についても、本考案の技術的範囲に含まれると解する。
【符号の説明】
【００２３】
１      アタリ検知装置
１１    プーリー
１２    筐体
１３    表示部（ＬＥＤ）
１４    取付け具(グリップ)
２      竿
２１    ガイド
３      道糸
４      リール
５      アオリイカヤエンスタンド
６      ヤエン
７      活きエサ（魚）
８      アオリイカ
【図１】
0003204321.tif 000003
【図２】
0003204321.tif 000004
【図３】
0003204321.tif 000005
【図４】
0003204321.tif 000006
【図５】
0003204321.tif 000007
【図６】
0003204321.tif 000008